Podtech/llm-jp-corpus-v4-ja_patent huggingface dataset:
(57)【要約】      （修正有）【課題】ＣＰＵの動作速度を上げる方法を提供する。【解決手段】ＣＰＵのメモリーアクセス動作を、メモリーに書き込んでから直ぐに読み出す様に、構造・アクセス方法を改良する。【効果】ＣＰＵの動作時間の中で、メモリーをアクセスする時間の割合がかなりの割合を占めているので、このボトルネックが改良されれば、ＣＰＵは同じシステム・クロック周波数で２倍以上の動作速度で動作する。【選択図】なし【特許請求の範囲】
【請求項１】
コンピューターのＣＰＵの動作速度の倍速化法
【発明の詳細な説明】
【技術分野】
【０００１】  この発明はデジタル回路に関する。
【発明の概要】
【０００２】  この発明は、コンピューターのＣＰＵを、同じシステム・クロック周波数で２倍以上に動作速度を上げる方法である。
【背景技術】
【０００３】  メモリーへの書き込みサイクルと読み出しサイクルがそれぞれ別々にメモリーをアクセスするという現在のＣＰＵの動作の為に、今現在のＣＰＵは、メモリーへのアクセスに余計な時間がかかっている。これは、メモリーセルの構造やアクセス方法、メモリーセルから端子までデータが出てくる迄の時間がある程度必要な為とＣＰＵの動作時間の中で、メモリーをアクセスする時間の割合がかなりの割合を占めている事に依る。
【発明の開示】
【発明が解決しようとする課題】
【０００４】  今現在のＣＰＵは、メモリーへの書き込みサイクルと読み出しサイクルがそれぞれ別々にメモリーをアクセスするというボトルネックがある為、ＣＰＵの動作速度に限界が有り、このアーキテクチャではメモリーのアクセスに余計なシステム・クロックを使っていて、ＣＰＵの動作速度はこれ以上あがらない。
【課題を解決するための手段】
【０００５】  この為、この発明においては、ＣＰＵのメモリーアクセス動作を、メモリーに書き込んでから直ぐに読み出す様に、構造・アクセス方法を改良する。ＣＰＵの動作時間の中で、メモリーをアクセスする時間の割合がかなりの割合を占めているので、このボトルネックが改良されれば、ＣＰＵは同じシステム・クロック周波数で２倍以上の動作速度で動作する。
【発明の効果】
【０００６】  この発明により、ＣＰＵが同じシステム・クロック周波数で、今までの２倍以上の動作速度で動作する様になり、コンピューターがさらに使い勝手の良い物になる。
【関連特許】
【０００７】    特願２０１４−０４８１３２
(57)【要約】      （修正有）【課題】刃物で布を切っても布の切り口がほつれることがない方法を提供する。【解決手段】切り口のほつれを解消するために布２を溶かして切る。具体的には、ステンレススチール製の抜き型１とステンレススチール製の保護材３とを使用し、抜き型をガス等で加熱・昇温する。この方法によりハサミやカッターを上手に使えない人々にも布に接する機会が与えられる。切り口のほつれを気にしないで手芸や造花が出来る。布製品がよりきれいに仕上がる。【選択図】図２
2017007078.tif 000002
【特許請求の範囲】
【請求項１】
布を切る―方法  ｍｅｌｔ  ｃｕｔ
【発明の詳細な説明】
【技術分野】
【０００１】本発明は布を切る方法に関する。
【背景技術】
【０００２】従来の布を切る方法はハサミを使う。【０００３】各種カッターを使う。布の下に保護材として木製板、厚紙等を使う。
【先行技術文献】
【特許文献】
【０００４】商品名  ヒートスライドカッターＨＳ―１００  ８０Ｗ
ＴＡＩＹＯ  ＥＬＥＣＴＲＩＣ  ＩＮＤ  ．ＣＯ，ＬＴＤ
大洋電機産業株式会社  ｗｗｗｇｏｏｔ，ｃｏ，ｊｐ
ＮＯＶ２００７Ｘ３６２０ＨＳＯＯ  ＤＮＰ【０００５】商品名・ホットナイフ  Ｈｏｔ６０Ｒ
大洋電気産業株式会社ｗｗｗｇｏｏｔ，ｃｏ，ｊｐ
ＡＰＲ２００４ＰＲＩＭＩＴＥＤ  ｉｎ  ＪＡＰＡＮ  Ｘ２１６０Ｈ  ＴＯＯ  ＡＯ８
【発明の概要】
【発明が解決しようとする課題】
【０００６】以上に述べた従来の布を切る方法では切り口がほつれる。【０００７】布の下に敷く保護材を木製やプラスチック、厚紙では溶けた布が下にくっつく。【０００８】大きさをそろえて切れない。【０００９】沢山同時に作れない。【００１０】布の風合いを損ねる。
【課題を解決するための手段】
【００１１】ステンレススチールの型抜きを使って高温で溶かして切る。（型抜きそのものをガス等で熱する）２２０℃〜５００℃
型抜きを布に当てる時間  ０．３秒〜  （布によって異なる）【００１２】切る布の下に敷くのはステンレススチール板（図２）【００１３】ｍｅｌｔ  ｃｕｔ  する時の型抜きの刃先は０．３ｍｍ
それ以下だと布が溶けない。【００１４】布を複数枚重ねると、布と布がくっつくので必ず１枚ずつ切る。
【図面の簡単な説明】
【００１５】
【図１】布を高熱で熱したステンレススチールの型抜きの型見本
【図２】ステンレススチールの型抜き・布・保護材（ステンレススチール）の重ね方、順序等。
【発明を実施する為の形態】
【００１６】図１に示したようにステンレススチールの型抜きを使用する。
【００１７】図２に示したようにステンレススチールの保護材を下に敷き、その上に布、ステンレススチールの型抜きをその上から当てる。
【００１８】布は１枚ずつ型抜きと保護材の間に入れる。
【００１９】ステンレススチールの型抜きの厚さは０．３ｍｍ〜０．４ｍｍとする。
【００２０】布の厚さや質によって溶け方が異なるため０．３ｍｍ以下であると溶けずに切れるだけ。
【００２１】ステンレススチールの型抜きの温度は２２０℃〜  （布によって異なる）
【００２２】ステンレススチールの型抜きを高温で熱して布に当てる時間  ０．３秒〜  （布によって異なる）
【００２３】純毛、純綿、純麻、正絹、毛足の長いもの、特殊加工したもの、不燃加工した生地等は切断しにくい。
【００２４】ポリエステル系、アクリル系、ナイロン系等、及びその混紡、ニット地等が切れる。
【発明の効果】
【００２５】以上のように  ｍｅｌｔ  ｃｕｔでは切り口がほつれないので、大きなものから小さなものまで、糸と針、ミシン等で切り口を始末する技術を必要としない。
【００２６】年齢に関係なく、高度な技術を必要としないで幅広く利用できる製品が出来上がる。
【産業上の利用可能性】
【００２７】各種布製品、手芸、造花、アパレル等に利用できる。
アクセサリー・インテリアグッズ等々・・・。【００２８】各分野で利用可能なので、大量生産すれば市場拡大する。【００２９】学校用教材・贈答品等に使用可。【００３０】布製の桜の造花は日本国中で需要がある。
【図１】
2017007078.tif 000003
【図２】
2017007078.tif 000004
【手続補正書】
【提出日】平成28年6月29日(2016.6.29)
【手続補正１】
【補正対象書類名】特許請求の範囲
【補正対象項目名】請求項１
【補正方法】変更
【補正の内容】
【請求項１】
熱を利用して布を切断する織物加工機械用ステンレススチール製抜き型を使う。抜き型を２２０℃〜約１０００℃まで熱することが出来る。刃をカッターとして使用すると布が溶けないし刃そのものが切れなくなるので不向きである。６０００枚／１ｍｉｎ．を切断可能なもの。布巾・シングル９０ｃｍ，ダブル巾１５０ｃｍ，その他を直接機械に設置して切断出来る規模のもの。ステンレススチールの抜型の形や大きさが異る物に取替え出来るもの。ｍｅｌｔ  ｃｕｔで切り端がほつれたり変形した布片が出来ない性能を持つもの。同形で同じ大きさのものが短時間に沢山作れる。質の異る各種の布を切断するため熱や時間を微調整出来る加工機械であること。
(57)【要約】【課題】  雨等に濡れて困る電動工具、セメント等を車内又は、荷台に積んで養生しなくてもよいように、小型ダンプトラックの後部ゲートに着脱ができる収納ボックスの受台を提供する。【解決手段】  上部通しアングル（１）にフック（７）と掛けアングル（２）をコの字型に数ヶ所設ける。下部通しアングル（３）に床板受けアングル（６）を設け床板（９）を設ける。上部通しアングル（１）の両端部と下部通しアングル（３）の四方端部に立てアングル（４）と補強アングル（５）を設け、立てアングル（４）の両側下部にゴムバンド（８）を設ける。収納ボックスが簡単に積み降しができるのお特徴とする着脱式受台である。【選択図】図１
2017007632.tif 000002
【特許請求の範囲】
【請求項１】
上部通しアングル（１）にフック（７）と掛けアングル（２）をコの字型に設ける。
床板（９）を設けた下部通しアングル（３）にゴムバンド（８）を設けた立てアングル（４）と補強アングル（５）を両側端部に設けた小型ダンプトラック用収納ボックスの着脱式受台。
【発明の詳細な説明】
【技術分野】
【０００１】  本発明は小型ダンプトラックの後部ゲートに着脱ができる収納ボックスの受台に関するものである。
【背景技術】
【０００２】  従来、濡れて困る電動工具、セメント等は助手席か荷台に積んでブルーシート等で養生していた。
【発明の概要】
【発明が解決しようとする課題】
【０００３】  これは、次の欠点があった。
従来、現場で使用する、電動工具、セメント等は移動中雨等に濡れると困るので車内に積んだり又は荷台に積んでブルーシート等で養生して濡れるのを防いでいたが、車内が汚れたり、健康上もよくなかった。
又荷台に積むのもゲートを越して積むので体力的に負担でもあった。
又濡れないように養生するのも荷台が高いので、昇降りも負担であった。
本発明は、以上のような欠点をなくすためになされたものである。
【課題を解決するための手段】
【０００４】  上部通しアングル（１）にフック（７）と掛けアングル（２）をコの字型に数ヶ所設ける。下部通しアングル（３）と床板受けアングル（６）で長方形を設け床板（９）を設ける。
上部通しアングル（１）の両端部と下部通しアングル（３）の四方端部に立てアングル（４）と補強アングル（５）を設ける。
立アングル（４）の両下部に、ゴムバンド（８）を設ける。
本発明は、以上の構成によりなる小型ダンプトラック用収納ボックスの着脱式受台。
【発明の効果】
【０００５】  収納ボックスの受台を小型ダンプトラックの後部ゲート外部に引掛けて収納ボックスを使用できるので、車内も汚さないで、又荷台に昇る事もない。
収納ボックスの積み降しは荷台の床の高さでゲートを越す事もないので負担も少ない。
【図面の簡単な説明】
【０００６】
【図１】  本発明の使用斜視図である。
【図２】  本発明の使用断面図である。
【発明を実施するための形態】
【０００７】  以下、本発明を実施するための形態について説明する。
上部通しアングル（１）にフック（７）と掛けアングル（２）をコの字型にして小型ダンプトラックの後部ゲートの上部から差し込むように設ける。
上部通しアングル（１）の両端部と床板（９）を設けた下部通しアングル（３）の四角に立てアングル（４）と補強アングル（５）を設ける。
立アングル（４）の下部両側にゴムバンド（８）を設ける。
本発明は、以上のような構造である。
これを使用するときは、受台を小型ダンプトラック後部外側から後部ゲートの上から降ろして挟み、ゴムバンドをトラックのリヤーバンパーに掛けて固定する。
収納ボックスを受台に積んで、収納ができる。
又、走行中、落下しないようにゴムバンドをフックに掛けて固定する。
【符号の説明】
【０００８】１  上部通しアングル
２  掛けアングル
３  下部通しアングル
４  立てアングル
５  補強アングル
６  床板受けアングル
７  フック
８  ゴムバンド
９  床板
１０収納ボックス
【図１】
2017007632.tif 000003
【図２】
2017007632.tif 000004
(57)【要約】【課題】  虚像の結像位置を調整することができ、且つ、虚像が歪む虞が少ないヘッドアップディスプレイ装置を提供する。【解決手段】  発光型表示器１０は、表示光を発する。投影部材２０は、表示光が投射される。ハウジング３０は、発光型表示器１０を収納すると共に、投影部材２０が固定される。支持部３００は、ハウジング３０を支持する。隠蔽部５００は、ハウジング３０の少なくとも一部を隠蔽する。操作部５０は、隠蔽部５００から少なくとも一部が露出し、ハウジング３０を揺動させる。【選択図】  図１
2017007614.tif 000002
【特許請求の範囲】
【請求項１】
表示光を発する発光型表示器と、前記表示光が投射される投影部材と、前記発光型表示器を収納すると共に前記投影部材が固定されたハウジングと、前記ハウジングを支持する支持部と、前記ハウジングの少なくとも一部を隠蔽する隠蔽部と、前記隠蔽部から少なくとも一部が露出し前記ハウジングを揺動させる操作部と、を備えたことを特徴とするヘッドアップディスプレイ装置。
【発明の詳細な説明】
【技術分野】
【０００１】
本発明は、投影部材に表示光を投射することにより虚像を表示するヘッドアップディスプレイ装置に関するものである。
【背景技術】
【０００２】
従来より、ヘッドアップディスプレイ装置が種々提案されており、例えば、特許文献１に開示されている。斯かるヘッドアップディスプレイ装置は、車両ドライバーの視線位置に応じて、表示光を投射するコンバイナの角度を変えることにより、虚像の結像位置を調整するものである。
【先行技術文献】
【特許文献】
【０００３】
【特許文献１】特開２００８−１５５７２０号公報
【発明の概要】
【発明が解決しようとする課題】
【０００４】
しかしながら、特許文献１記載のヘッドアップディスプレイ装置は、コンバイナの角度調整に伴って、発光型表示器からコンバイナに投射される表示光の角度が変化するため、虚像が歪んでしまうという問題を有していた。
本発明は、この問題に鑑みなされたものであり、虚像の結像位置を調整することができ、且つ、虚像が歪む虞が少ないヘッドアップディスプレイ装置を提供するものである。
【課題を解決するための手段】
【０００５】
本発明は、表示光を発する発光型表示器１０と、前記表示光が投射される投影部材２０と、前記発光型表示器１０を収納すると共に前記投影部材２０が固定されたハウジング３０と、前記ハウジング３０を支持する支持部３００と、前記ハウジング３０の少なくとも一部を隠蔽する隠蔽部５００と、前記隠蔽部５００から少なくとも一部が露出し前記ハウジング３０を揺動させる操作部５０と、を備えたものである。
【発明の効果】
【０００６】
発光型表示器から投影部材に投射される表示光の角度を変えることなく、虚像の結像位置を調整することができ、且つ、虚像が歪む虞が少ない。
【図面の簡単な説明】
【０００７】
【図１】本発明の実施形態を示す断面図。
【図２】同上実施形態を示す斜視図。
【発明を実施するための形態】
【０００８】
以下、添付図面に基づいて、自動二輪車の計器に本発明を適用した一実施形態を説明する。
【０００９】
表示ユニット１００は、液晶表示器（発光型表示器）１０と、この液晶表示器１０から表示光が投射されるコンバイナ（投影部材）２０と、液晶表示器１０等を収納するハウジング３０と、液晶表示器１０を制御する回路基板４０と、からなる。表示ユニット１００は、自動二輪車のウィンドシールド４００の後方に配置されている。
【００１０】
表示ユニット１００の液晶表示器１０は、バックライト１１と、このバックライト１１が発した光を透過するコンデンサレンズ１２と、コンバイナ２０に投射される情報が表示される液晶表示パネル１３とからなる。液晶表示パネル１３には、車両速度，エンジン回転数，走行距離等の車両情報が表示される。
【００１１】
表示ユニット１００のコンバイナ２０は、透過性または半透過性の樹脂からなるものである。コンバイナ２０は、湾曲形状になっており、反射面が凹面になっている。コンバイナ２０は、ハウジング３０にビスにより固定されている。
【００１２】
ハウジング３０は、不透明な樹脂からなるものであり、上ケース３１と、中ケース３２と、下ケース３３とを備える。中ケース３２には、液晶表示器１０，コンバイナ２０，回路基板４０が固定されている。ハウジング３０の上ケース３１と下ケース３３とはビスにて固定されている。
【００１３】
表示ユニット１００のハウジング３０は、支持部３００に揺動可能に支持されている。表示ユニット１００のハウジング３０には、円盤状の操作部５０が設けられており、使用者は操作部５０を回転させることによって、虚像を視認できるように表示ユニット１００の角度を調整する。
【００１４】
回路基板４０は、ガラス繊維を含む樹脂等からなる板状の基材に、ＣＰＵ（Central Processing Unit）とＲＯＭ（Read Only Memory）等の記憶部とを含むマイコン、グラフィックディスプレイコントローラー（ＧＤＣ）等から構成される制御部を実装したプリント回路板である。回路基板４０は、中ケース３２に固定されている。回路基板４０は、上ケース３１に略平行となるように配置されている。回路基板４０と液晶表示器１０とは、ＦＰＣ（Flexible Printed Circuit）を介して導通接続されている。
【００１５】
表示ユニット１００の下方には、メータユニット２００が設けられている。メータユニット２００は、筐体２２１の内部に収納された制御基板２２２と、この制御基板２２２によって制御されるモータ２２３と、このモータ２２３の先端に取り付けられた指針２２４と、この指針２２４に指示される指標部が印刷形成された文字板２２５とからなる。
【００１６】
表示ユニット１００は、外装パネル５００の開口部５０１の近傍に配置されており、ハウジング３０の一部及び支持部３００が外装パネル５００によって隠蔽される。操作部５０の一部は外装パネル５００から露出しており、使用者が操作部５０を操作可能になっている。
【００１７】
本実施形態は、表示光を発する液晶表示器１０と、前記表示光が投射されるコンバイナ２０と、前記液晶表示器１０を収納すると共に前記コンバイナ２０が固定されたハウジング３０と、前記ハウジング３０を支持する支持部３００と、前記ハウジング３０の少なくとも一部を隠蔽する外装パネル５００と、前記外装パネル５００から少なくとも一部が露出し前記ハウジング３０を揺動させる操作部５０と、を備えたものであり、発光型表示器から投影部材に投射される表示光の角度を変えることなく、虚像の結像位置を調整することができ、且つ、虚像が歪む虞が少ない。
【符号の説明】
【００１８】
１０  液晶表示器（発光型表示器）
１１  バックライト
１２  コンデンサレンズ
１３  液晶表示パネル
２０  コンバイナ（投影部材）
３０  ハウジング
３１  上ケース
３２  中ケース
３３  下ケース
４０  回路基板
５０  操作部
１００  表示ユニット
２００  メータユニット
３００  支持部
４００  ウィンドシールド
５００  外装パネル（隠蔽部）
【図１】
2017007614.tif 000003
【図２】
2017007614.tif 000004
(57)【要約】【課題】従来は、カバーの着脱に車両の両側に移動したり，車室内で作業が必要であり、特に忙しい朝晩には煩雑であり、簡単に着脱されるものが待ち望まれていた。【解決手段】保護カバーのシートを布・網とし、この布・網を車両に吸着させるために車両前部屋根部に当たるところに磁石をシートに装着し、カバー着脱容易化のため保持棒をそのシートの車両上下両端部に装着する。また、強風時保護カバーが剥がれ、飛散して行かないように、車両ワイパーアーム部に緊縛する部材をもうける。【選択図】図１
2017088152.tif 000002
【特許請求の範囲】
【請求項１】
自動車のフロントガラスの幅とほぼ同じ幅を有し、且つ、その上下方向の長さもほぼ同じ長さを有する布又は樹脂よりなるシートまたは網もしくはそれらの組み合わせからなるシート本体（１）と、このシートの両端部に設けられた保持棒取り付け部に取り付けられた一対の保持棒（２Ａ・２Ｂ）と、前記シート本体の上縁部近傍であって、この車両装着時車両屋根方向の保持棒の直線性が、前記シート本体の上縁部近傍であって、シート本体を自動車に装着した時に前記フロントガラス上縁部に隣接する車体屋根金属部の湾曲形状により吸着性に影響が出ない場所に、ほぼ車幅に同じ広げられた複数の板状の磁石又は車両幅とほぼ同じ長さの帯状磁石（３）を収納した吸着部材（４）とからなることを特徴とする自動車フロントガラス保護カバー。
【請求項２】
特許請求の範囲第１項に記載する自動車フロントガラス保護カバーであって、布又は樹脂よりなる保護シート本体の一部又は全部を編み目状としたことを特徴とする自動車フロントガラス保護カバー。
【請求項３】
特許請求範囲第１項又は第２項に記載する自動車フロント保護カバーであって、保護シート本体下縁部のフロントガラス用ワイパーに対応する位置に保護カバー係止部材（７）が設けられていることを特徴とする自動車フロント保護カバー。
【発明の詳細な説明】
【技術分野】
【０００１】  本発明は自動車フロントガラスの保護カバーに関し、極めて簡単に着脱できることを目的とした保護カバーに関する。
【背景技術】
【０００２】  自動車のフロントガラスの保護を目的とした考案として、帯状ゴム磁石を布製保護カバーの上辺部及び下辺部の袋状の中に挿入したものが公開されている（例えば、特許文献１）。【０００３】  また、自動車のフロントガラスに張り付いた氷や霜を剥ぎ取るシートが公開されている（例えば、特許文献２）。
【先行技術文献】
【特許文献】
【０００４】
【特許文献１】登録実用新案公報第３０２１０３３号
【特許文献２】登録実用新案公報第３１６０４８８号
【発明の概要】
【発明が解決しようとする課題】
【０００５】  上述した保護カバーを自動車のフロントガラス上に着脱するに際しては次のような欠点があった。
（イ）着脱に当たり車の両側から又は車室内での操作をしなければならず極めて煩雑であり時間がかかった。
（ロ）片側が隣の家との境界になっていて垣根・塀などがある場合には、体が入りにくく極めて着脱が困難な場合があった。
【課題を解決するための手段】
【０００６】  第１の本発明による自動車フロントガラス保護カバーは、自動車のフロントガラス面を覆って装着される保護カバーであって、保護カバーの車の屋根側にくる上側縁端部とフロントガラスを覆った車両の下側縁端部には保護カバーを手で持って着脱するための保持棒を装着する。また、この保護カバーを車両に吸着するために、この保護カバーの車両の屋根にくるところのカバーに磁石による吸着部材を取り付ける。第２の発明による自動車フロントガラス保護カバーは強い風が吹いた時保護カバーが車両から容易に離れないようにするため、保護カバーの一部又は全体を編み目状としておく。第３の発明は、強風時にこの保護カバーが飛ばされていかないように、車両下端部の保持棒の所に、ワイパーアームに固定するための固定部材を付けておく。
【発明の効果】
【０００７】  本発明によって自動車フロントガラス保護カバーの車両への装着時に、車両の片側から保持棒を持って車両に被せ、外す時は車両の片側から保持棒を持って外すだけでよく、装着と取り外し作業を車両の片側だけで行うことができるため、極めて短時間で着脱をすることが出来、また、狭い場所でも楽に装着と取り外し作業が出来るようになる。
この保護カバーが容易に装着出来ることにより、フロントガラスへの上からの鳥の糞等の付着、道路を走る他車からの飛沫・汚泥・飛び石を保護するばかりでなく、太陽光による車室内の異常な温度上昇防止、寒冷時におけるフロントガラスの結氷の低減又は防止、降雪時におけるフロントガラス上の積雪を保護カバーを取り外すだけで容易に除去できるようになる。また、シート本体の一部又は全体を通気を確保するために編み目状にすることにより、風によるバタツキを軽減することができる。
くわえて、保持棒下端部の固定部材をワイパーアーム部に緊縛することによって、強風時、カバーの飛散を防げる。
【図面の簡単な説明】
【０００８】
【図１】本保護カバーの斜視図である。
【図２】本保護カバーの断面  Ｓ１−Ｓ１  である。
【図３】本発明による自動車フロントガラス保護カバーを実車に装着した図である。
【発明を実施するための形態】
【０００９】  以下、本発明の実施の形態を説明する。
第１図及び第２図にて、本発明の実施の形態について説明する。自動車のフロントガラス面を覆ってフロントガラスを面状のシート（１）を図３に示すように実車に取り付けた際に、シート（１）の自動車の高さ方向の上側縁となる上側縁部に保持棒（２Ａ）を取り付ける。こちら側の保持棒を上側保持棒（２Ａ）とする。更に、上側保持棒（２Ａ）の直線性により磁石（３）が自動車前部屋根の湾曲形状に影響を受けずにしっかり屋根に吸着するよう上側保持棒（２Ａ）からの間隔をあけて磁石（３）を収納した吸着部材（４）をシート（１）に取り付ける。吸着部材（４）については磁石（３）を並べた上からカバーで覆うようにしてもよい。更に、磁石（３）部からフロントガラスをほぼ覆う長さのシート（１）の他端部（下側縁部）にもう片方の保持棒（２Ｂ）を固定する。こちら側を下側保持棒（２Ｂ）とする。
また、強風時にカバーを車両にしっかり保持しておくために、フロントガラスワイパーアームに固定するためにシート（１）の下側縁部に面状ファスナー・磁石・フックなどを備えた固定部材を取り付けておく（７）。これら、全体の構成を有するものを自動車フロントガラス保護カバーとする。
【符号の説明】
【００１０】１．  シート本体
２Ａ  上側縁部保持棒
２Ｂ  下側縁部保持棒
３．  磁石
４．  吸着部材
５．  保持棒取り付け
６．  吸着部材取り付け
７．  固定部材
８．  ワイパーアーム
【図１】
2017088152.tif 000003
【図２】
2017088152.tif 000004
【図３】
2017088152.tif 000005
(57)【要約】      （修正有）【課題】台車での荷物運搬中の荷崩れを防止する事を目的とし、荷崩れ防止ベルトを一体化させた台車を提供する。【解決手段】別々に分離していたゴムバンドと台車６を一体化し、細かったゴムバンドを台車６の横幅まである帯状のベルト３に改良、更にロール状にして板バネを利用した巻き取る装置を設けた事を特徴とする。【選択図】図２
2017088151.tif 000002
【特許請求の範囲】
【請求項１】
従来別々に分離していたゴムバンドと台車を一体化、更に細かったゴムバンドを台車の横幅まである帯状のベルトに変更改良、帯状の長いベルトをロール状にして板バネを利用した巻き取る装置を設けた事を特徴とする荷崩れ防止ベルト付き台車。
【発明の詳細な説明】
【技術分野】
【０００１】本発明は台車での荷物運搬中の荷崩れを防止する事を目的とし、荷崩れ防止ベルトと台車を一体化させた事に関するものである。
【背景技術】
【０００２】従来、紐又はひも状のゴムバンドなどで荷物を絞める対応はしていたが、台車に乗せた荷物量によっては絞めつめの調整が容易ではなかった。
【先行技術文献】
【特許文献】
【０００３】
【特許文献１】
【発明の概要】
【発明が解決しようとする課題】
【０００４】これは次のような欠点があった。
（１）従来は台車とゴムバンドは別々で荷物の絞め付けが手軽には出来なかった。
（２）従来のゴムバンドは一定の長さで分離していた為、荷物の量によって絞め付けの調整が困難であった。
（３）従来の細いゴムバンドではなく、台車の幅の帯状のバンドにする事により、雨濡れ防止も期待出来る。
【課題を解決するための手段】
【０００５】別々に分離していたゴムバンドと台車を一体化し、細かったゴムバンドを台車の横幅まである帯状のベルトに改良、更にロール状にして板バネを利用した巻き取る装置を設けた。
【発明の効果】
【０００６】荷物の大小に関係なく荷崩れ防止の為の絞め付けの調整がベルトをロール状にした事による巻き取りの力を利用して容易に出来る。
【図面の簡単な説明】
【０００７】
【図１】本発明「荷崩れ防止ベルト付き台車」本体の平面図である。
【図２】本発明「荷崩れ防止ベルト付き台車」本体と台車の取付け側面図である。
【発明を実施するための形態】
【０００８】以下、発明を実施する為の形態について説明する。
台車幅に合わせた円柱状の棒の端に板バネを内蔵した装置（２）を取付け、任意の長さに設定した帯状ロールベルト（３）を板バネの力を利用してを巻取りながら円柱状の棒にロール状に巻き取る、これが荷崩れ防止ベルト本体（１）である。
更に台車取付けステーを（５）荷崩れ防止ベルト本体（１）と合わせ、固定する。
完成した荷崩れ防止ベルト本体（１）と台車台車取付けステー（５）を台車（６）の前方下部に取付け固定する。
本発明を使用するときは、台車に（６）荷物（７）が大量に載ってたと仮定した場合、通常時は巻き取ってある状態の帯状ロールベルト（３）を前方に引っ張り台車（６）に載ってる荷物（７）の上部を台車の後方に覆うように掛ける。
覆い終わったら帯状ロールベルト（３）の先端に取付けてある台車引っ掛けフック（４）で台車の取っ手や横板や台座など任意の場所に引っ掛けて帯状のベルト（２）を固定する。
収納時は任意の場所に引っ掛けてある台車取付けフック（４）を外せば、板バネの力で自動で帯状ロールベルト（３）が巻き取れる。
【符号の説明】
【０００９】１  荷崩れ防止ベルト本体
２  板バネ内蔵装置
３  帯状ロールベルト
４  台車引っ掛けフック
５  台車取付けステー
６  台車
７  荷物
【図１】
2017088151.tif 000003
【図２】
2017088151.tif 000004
(57)【要約】【課題】従来の自転車用雨具は自転車から降車し雨具を収納ケースから取り出して着用する物であり収納ケースを自転車に取り付ける為のバンドも複雑であった。また、強風にも雨具が飛ばされる心配があった。本発明は常時携帯できる自転車用雨具収納ケースを提供する。【解決手段】自転車用雨具収納ケースを自転車のハンドル前面に簡易な回転式クリップで取り付け、雨具を収納ケースの内部に挟み込み巻き取る為のクリップを設けた事を特徴とする自転車用雨具収納ケース。【選択図】図２
2017088150.tif 000002
【特許請求の範囲】
【請求項１】
雨具を収納ケースの内部クリップに挟み込み巻き取り、その収納ケースを自転車のハンドル部に設けた自転車用雨具収納ケース。
【請求項２】
自転車とケースを固定するパイプキャッチクリップに回転盤を設けた請求項１の自転車用雨具収納ケース。
【発明の詳細な説明】
【技術分野】
【０００１】  本発明は自転車に設置する雨具を収納したケースに関するものである
【背景技術】
【０００２】  従来、雨具の利用方は着用して自転車に搭乗していた。（特許文献１）
サドルに自転車用雨具収納ケース付きサドル（特許文献２）が知られている。
【先行技術文献】
【特許文献】
【０００３】
【特許文献１】  特開２００９−１０２７８７号公報
【特許文献２】  実開平１−１３６０８７号公報
【発明の概要】
【発明が解決しようとする課題】
【０００４】  従来の自転車用雨具は自転車から降車し雨具を収納ケースから取り出して着用する物であり収納ケースを自転車に取り付ける為のバンドも複雑であった。また、強風にも雨具が飛ばされる心配があった。
本発明は以上の問題を解決するためになされたものである。
【課題を解決するための手段】
【０００５】  自転車用雨具収納ケースを自転車のハンドル前面に回転式クリップで取り付け、雨具を収納ケースの内部に挟み込み巻き取る為のクリップを設ける。
以上の構成による自転車用雨具収納ケース。
【発明の効果】
【０００６】  従来自転車から降車し雨具を取り出していたが、本発明により乗車のまま即座に着用が可能となった。収納ケースを自転車に取り付け時もクリップで簡易となり雨具とケースがクリップで固定している為、強風にも対処が可能となった。
本発明は、自転車搭乗、歩行中どちらにも活用する事ができる。
【図面の簡単な説明】
【０００７】
【図１】本発明の正面図
【図２】本発明のケースを上下に開いた状態図
【図３】本発明の底面図
【図４】本発明の要部拡大図
【図５】本発明の使用状態の斜視図
【発明を実施するための形態】
【０００８】  以下、本発明の実施の形態について説明する。
（イ）収納ケース（１３）には上蓋止め（３）付の上蓋（１）と下蓋止め（１０）付の下蓋（２）を設け、下蓋（２）の中に雨具上側クリップ（７）と雨具下側クリップ（８）を設ける。
（ロ）雨具上側クリップ（７）と雨具下側クリップ（８）の両先端にはワッシャ（９）と回転ノブ（４）を設ける。この回転ノブ（４）は雨具を収納ケース（１３）に巻き取るため回転するように設けてある。
（ハ）下蓋（２）の下部にパイプキャッチクリップ（５）を左右２か所設ける。
（ニ）パイプキャッチクリップ（５）の両端にパイプキャッチクリップスライドレール（６）を設ける。
（ホ）上蓋（１）と下蓋（２）の後ろ側に上下蓋の丁番（１１）を設ける。
本発明は以上の様な構造である。
【０００９】  本発明を使用する時は、収納ケース（１３）に装着している左右のパイプキャッチクリップ（５）を自転車のハンドルにはさみケースを固定する。収納ケース（１３）の上蓋止め（３）付上蓋（１）と、下蓋止め（１０）付下蓋（２）を開き、雨具上側クリップ（７）と雨具下側クリップ（８）の間に雨具の下部を挟み込んで、収納ケース（１３）の幅に折りたたんでから、回転ノブ（４）で雨具すべてを巻き込み収納する。雨の感知時に自転車から降車せずに雨具をケースから引き出し着用が出来る。雨具下部は収納ケース（１３）に固定しているので、強風等にも対応可能である。自転車を降りる時には、雨具上側クリップ（７）と雨具下側クリップ（８）を開き、雨具を収納ケース（１３）から外して使用も可能である。雨具を保管する時には、雨具を収納ケース（１３）の幅に折りたたんでから、収納ケース（１３）の左右についている回転ノブ（４）を回し雨具を巻きこみ収納し、上蓋（１）と下蓋（２）を閉じる。
パイプキャッチクリップ（５）は収納ケース（１３）下部の両端に装着したパイプキャッチクリップレール（１０）を利用し左右に移動が可能であり、多種のハンドルの幅にも対応が可能となる。又、パイプキャッチクリップの片側１個はパイプキャッチクリップ回転盤（１２）により３６０度回転が可能であり向きを変える事で、自転車の中心棒のステムにも固定可能であり、多種の自転車に適応可能となる
【符号の説明】
【００１０】１上蓋、２下蓋、３上蓋止め、４回転ノブ、５パイプキャッチクリップ、
６パイプキャッチクリップスライドレール、７雨具上側クリップ、
８雨具下側クリップ、９ワッシャー、１０下蓋止め、１１上下蓋の丁番
１２パイプクリップ回転盤、１３収納ケース
【図１】
2017088150.tif 000003
【図２】
2017088150.tif 000004
【図３】
2017088150.tif 000005
【図４】
2017088150.tif 000006
【図５】
2017088150.tif 000007
(57)【要約】      （修正有）【課題】コードの保管収納中にも絡みが発生せず、かつ、保管収納から取り出し使用する場合にも、絡み癖が少ない状態である事。【解決手段】コード２を、重ね合わせたり交差させず、かつ、人工的な力を極力加えないで一本形状で保持することにより解決。コード２の保持がなだらかな曲線形状で行われ、かつ、重なりや交差が起こらない状態を満たせばよく、図面１〜５にしめす「ガイドパーツ１」とは保持モデルのひとつに過ぎない。しかし模範例には、コード類に鋭角的な変性形状がつかない、円、楕円、サイクロイド曲線等を基調とする保持形状を推奨。【選択図】図１
2017088401.tif 000002
【特許請求の範囲】
【請求項１】
コード類を接触して重ねたり交差等させない一本形状で保持する考え方であれば、ガイドパーツの配置、形状は任意。本発明の趣旨と事実上同一にコードを保持できる設計・デザインを施した装置類や製品等すべてに請求が及ぶ。
【発明の詳細な説明】
【技術分野】
【０００１】コード類収納保管手法。
【背景技術】
【０００２】これまで考案された収納保管方法は、収納のコンパクト化や可搬性に重点が置かれている。その結果、折り曲げ、巻き取り等による何らかの負荷がコード類にかかっている。その結果、収納時に、保管手法特有のねじれ癖・曲がり癖・折れ癖等の形状変性がコード類についていた。形状変性を矯正する「より戻し」による人的操作も材質疲労を進行させ、コード寿命は短くなる。
【発明の概要】
折り曲げ、巻き取り癖をつけないでコード類を保持する手法。
【発明が解決しようとする課題】
【０００５】コード類が保管中に絡まない。【０００６】保管時にコード類へ負荷をかけない。
【課題を解決するための手段】
【０００７】コード類を、重ね合わせたり交差をさせない状態で保管収納。【０００８】コード類と発案の保持器具が直接接触する部分は、できるだけ滑らかな曲面・曲線形状にし、負荷を軽減。【０００９】負荷が一点集中しないよう広範囲に分散させる保持形状にする。
【発明の効果】
【００１０】保管中も、使用中もコード類が絡まない。【００１１】絡まり癖の形状変性がついたコード類が保管中に自然矯正。【００１２】ねじれ・曲がり・折れ頻度を排除するとコードが長寿命化。
【図面の簡単な説明】
【００１３】
【図１】本発明のガイドパーツ例でコードを保持した状態を斜視図で表示
【図２】本発明のガイドパーツ例の正面図
【図３】本発明のガイドパーツ例の側面図
【図４】正面から見たコード類の保持例１
【図５】正面から見たコード類の保持例２
【発明を実施するための形態】
【００１４】コード類をガイドパーツに委ね、ゆるやかに曲線的に保管する形態
イ．ガイドパーツに人工的な力で巻き付けたりせず、図１、４、５のように自然に垂らすように使用することで、コード類の持つ自重が作用し、自然に形状変性の矯正作用が働く。
ロ．図１、５の保持例は，比較的長めの１本のコードを重ね合わせしたり交差しないよう、ガイドパーツを用いて配した事例である。
ハ．図４の保持例は、複数のコード類を図１、５と同じガイドパーツにより保持した場合の例である。
ニ．上記ロ、ハのいずれも、常に絡みなく形状変性の少ない状態でコードが保管される。
ホ．この基本パーツを原案とする曲線形状でのコード保持によって、コードそのものの自重作用で、ごく自然にまっすぐ矯正化もされる。
ヘ．この状態で保管と使用を繰り返し継続すると、その都度矯正とより戻しする作業の繰り返しによる「曲げ作用等の累積数」は減る。
ト．以上により、コードは、絡まず傷めずに保持される。
【符号の説明】
【００１５】１  ガイドパーツ
２  コード（便宜上、単線表示）
【図１】
2017088401.tif 000003
【図２】
2017088401.tif 000004
【図３】
2017088401.tif 000005
【図４】
2017088401.tif 000006
【図５】
2017088401.tif 000007
(57)【要約】      （修正有）【課題】川から直接砂金と水を一度に汲み上げることにより、それに水銀を混ぜることで、今まで取りきれていなかった砂金を労力、時間、及び歩留まりのすべての点において効率よく金を採取することができるポンプを提供する。【解決手段】スクリュー式のポンプで川から汲み上げた砂と、汲み上げる途中で水銀を投入し、汲み上げながら水・水銀・砂金を擦り合わせることで、汲み上げ作業と混ぜ合わせの作業を同時に行うことになる。水銀を砂金にすり合わせて取り出すポンプで１５倍早く仕事ができるようにした。【選択図】なし【特許請求の範囲】
【請求項１】
水銀と砂金と水の３つをすり合わせて金を取り出すポンプ  スクリュー式のポンプで川から汲み上げた砂と、汲み上げる途中で水銀を投入し、汲み上げながら水・水銀・砂金を擦り合わせることで、汲み上げ作業と混ぜ合わせの作業を同時に行うことになる。
【発明の詳細な説明】
【技術分野】
【０００１】  川から直接砂金と水を一度に汲み上げることにより、それに水銀を混ぜることで、効率よく金を採取することができるポンプ。
【背景技術】
【０００２】  川から吸い込むスクリュー式のポンプは、砂金に水銀をいれる事で砂金に水銀、水の３つをすり合わせて、水銀に金を融合させる。従来の方法では、川から砂を取り出すだけでも一つの大仕事であったが、直接汲み上げる事ができるようにした。
【発明の開示】
【発明が解決しようとする課題】
【０００３】  ペルーでは絨毯や人工芝の上を流して砂金が詰まる分だけを取っている。この方法では砂金が１０％の金が含まれていたとしても２％しか取れない。  ８割が川に流れて行く状態であるため、効率を上げる必要がある。
【課題を解決するための手段】
【０００４】  手作業と本技術では、労力、時間、及び歩留まりのすべての点において効率が良く、今まで取りきれていなかった砂金を従来の１５倍の効率で採取することができる。
【発明の効果】
【０００５】  砂金を汲み上げる時に水銀、水、砂金を擦り合う事で金と水銀が一つに融合する。  融合物をまとめるために、ダンプにバイブレーターを付ける事で、水銀と金の融合物が一つにかたまる。スピードアップと能率の高さが、発明の求めるところである。
【発明を実施するための最良の形能】
【０００６】  砂金を水で人工芝の上を流す事で採取していた場所に本技術によるポンプを設置するだけでよい。人工芝では、砂金を取って水で流さなければいけなかったが、水を砂を同時に川から汲み上げる方法にする。
【実施例】
【０００７】  人工芝では、芝目に詰まった分だけの作業で、そのあと水で流す作業が別にあり、手間のかかる部分を、本技術による機械を利用することで同時に行うことができ、１５倍の作業効率上昇となる。
【産業上の利用可能性】
【０００８】  純金の生産を安く、速く、経済的に取ることで今の世界的な純金不足に貢献できると思われる。
【図面の簡単な説明】
【０００９】  川底にポンプを設置して、ポンプを回すとスクリューコンベアーが高速で回転し、水、砂、砂金、がポンプ内に吸い込まれる。ポンプの途中で水銀を投入する事で、砂金、水、水銀、とすり合わされることで水銀と、金の融合物になる。  最後に防水されたダンプに砂金が投入され、バイブレーターによる振動を加える事で水銀と金の融合物がダンプの真ん中に固まるようになる。それだけを取り出し、残った砂はダンプの荷台を上げて川に戻す。  水銀の量は、川砂１ｔに対し約３０ｇ程度必要。２ｔのダンプが一般的なので、一回の作業で水銀を約６０ｇ使用する。  スクリューの回転数と、コンベアの角度については、１５度から４５度の角度で毎分１５００回転から３０００回転が必要と考える。角度が大きくなるほど汲み上げにかかる回転数を多くする。  ダンプカーの設置できる場所とポンプの設置場所が近ければ角度を大きくして、速く上げることができる。川底からダンプカーの荷台の上までの高低差を８〜１０ｍと想定し、ポンプの全長は約２０ｍ必要とおもわれる。【図１】図の装置は手軽で、安く、誰もが扱うことができるように機械化した。
【符号の説明】
【０００１】１  モーター２  スクリューコンベアー３  カップリング４  砂金が混ざった砂５  水銀６  水銀投入装置７  水砂からはじかれた水銀と金８  防水処理とバイブレーターを設置したダンプカー９  川の中（山でも水さえ引けばとる事が出来る１０  金を取り除いた川砂１１  水面１２  砂利よりも大きな石など
【図１】
2017088994.tif 000002
(57)【要約】【課題】従来、醤油やみりん等の調味料を計量して注ぐ際には、調味料容器の蓋を開けて、片手に調味料容器を持ち、片手に持った計量スプーン等で計量してから注ぐ動作となるため両手を使う必要があった。又、計量スプーンの取り置きや使用後の洗浄も必要だった。本発明は以上の問題点を解決し、片手動作で調味料の計量を可能にする調味料容器のキャップを提供するものである。【解決手段】調味料容器に取り付けるキャップの、容器側とそれに対向する注ぎ口側に小径筒部を設け、この二つの小径筒部の間の筒体容積で計量空間を形成する。この小径筒部を貫通し、軸方向の動きに連動して小径筒部を開閉するシール弁を持った可動軸を設ける。以上の構成よりなる調味料容器のキャップ。【選択図】図１
2017088242.tif 000002
【特許請求の範囲】
【請求項１】
調味料容器の口に取り付けて使用するキャップであって、容器側と注ぎ口側の対向する位置に、それぞれ小径筒部を持つ筒体と、この二つの小径筒部に相対する位置にシール弁を有する可動軸で構成し、二つのシール弁間の距離を、二つの小径筒部間の最短距離よりもわずかに大きくして、可動軸の軸方向の動きに連動して、注ぎ口側のみをシールする状態から、注ぎ口側と容器側の両方をシールする状態へ、更に、容器側のみをシールする状態へとシール位置を変化させ、小径筒体間の筒体容積で計量することを特徴とする計量機能付き調味料容器キャップ。
【発明の詳細な説明】
【技術分野】
【０００１】  本発明は調味料容器のキャップに関するものである。
【背景技術】
【０００２】  従来、調理する際に調味料を量るには計量スプーン等を使って必要量を計測していた。
【先行技術文献】
【特許文献】
【０００３】
【特許文献１】実開平０５−０５９２４８号公報
【発明の概要】
【発明が解決しようとする課題】
【０００４】  従来のスプーンによる計量は、調味料容器の蓋を開けて、片手に調味料容器を持ち、片手に持ったスプーンに移して計量してから注ぐ動作となるため両手を使う必要があった。又、計量スプーンの取り置きや使用後の洗浄も必要だった。
本発明は、以上の問題点を解決するものである。
【問題を解決するための手段】
【０００５】  調味料容器に取り付けるキャップの、容器側とそれに対向する位置に小径筒部を設け、この二つの小径筒部の間の筒体容積で計量空間を形成する。この小径筒部を貫通し、軸方向の動きに連動して小径筒部を開閉するシール弁を持つ可動軸を設ける。
以上の構成よりなる調味料容器のキャップ。
【発明の効果】
【０００６】  片手で、調味料容器を持って操作ノブを押すだけで定量の調味料を注ぐことができる。
又、計量スプーンも使わないため、その取り置きや使用後の洗浄も不要になる。
【図面の簡単な説明】
【０００７】
【図１】本発明の調味料容器キャップを調味料容器に取り付ける前の中央縦断面図
【図２】調味料を計量する前の使用状態を示す中央縦断面図
【図３】調味料を計量中の使用状態を示す中央縦断面図
【図４】計量した調味料を添加中の使用状態を示す中央縦断面図
【発明を実施するための形態】
【０００８】  以下、本発明の実施の形態を説明する。
図１で本発明の構造を説明する。
（イ）調味料容器キャップ（２）のキャップ筒体（３）の容器側と注ぎ口側の対向する上      下の位置に、筒体の計量部（９）よりも小さい二つの小径筒部（６）（７）を設け      、この小径筒部の間の筒体の計量部（９）に、調味料の計量に必要な容積を設ける      。キャップ筒体（３）の容器側の端部には調味料容器への取り付け部（４）を、反      対側には注ぎ口（５）を設ける。
（ロ）キャップ筒体（３）の内部に、二つのシール弁保持部（１１）（１２）を持つ可動      軸（１０）を設ける。二つのシール弁保持部（１１）（１２）間の距離は、二つの      小径筒部（６）（７）間の最短距離よりもわずかに大きくし、軸の移動につれて、      片側の小径筒部をシールする状態から、両側をシールする状態を経て、反対側の小      径筒部をシールする状態へと移行する位置にシール弁を保持するように設定する。
（ハ）可動軸（１０）の容器側はキャップ筒体（３）に設けた軸受リブ（８）で支え、も      う一方の注ぎ口側はキャップ筒体（３）から突出して、スプリング（１６）と、操      作ノブ（１５）を保持する。
（ニ）可動軸の二つのシール弁保持部（１１）（１２）には、小径筒部（６）（７）の内      径よりもわずかに大きい形状で、シリコンゴム等の弾性体で形成したリング状の二      つのシール弁（１３）（１４）を設ける。
本発明は以上のような構造である。
本発明を使用するときの形態を図２、図３、図４で説明する。
図２は調味料（１７）の入った調味料容器（１）を持ち上げて計量する前の状態を示す。注ぎ口側シール弁（１４）は閉じて、容器側シール弁（１３）は開いているため、調味料（１７）は、容器側小径筒部（６）を通って筒体の計量部（９）に溜まる。
図３は操作ノブ（１５）を途中まで押し込んで、調味料を計量中の状態を示す。
容器側シール弁（１３）と、注ぎ口側シール弁（１４）共に閉じた状態で、この間の筒体の計量部（９）に閉じ込められた調味料が、計量された調味料（１８）となる。
図４は操作ノブ（１５）を更に押し込んで、計量した調味料を注ぐ状態を示す。
容器側シール弁（１３）は閉じたままで、注ぎ口側シール弁（１４）が開き、筒体計量部（９）で計量された調味料（１８）が注ぎ口側小径筒部（７）を通って注ぎ口（５）から注がれる。
【符号の説明】
【０００９】１調味料容器、２調味料容器キャップ、３キャップ筒体、４容器への取り付け部、
５注ぎ口、６容器側小径筒部、７注ぎ口側小径筒部、８軸受リブ、９筒体の計量部、
１０可動軸、１１容器側シール弁保持部、１２注ぎ口側シール弁保持部、
１３容器側シール弁、１４注ぎ口側シール弁、１５ノブ、１６スプリング、
１７調味料、１８計量された調味料
【図１】
2017088242.tif 000003
【図２】
2017088242.tif 000004
【図３】
2017088242.tif 000005
【図４】
2017088242.tif 000006
(57)【要約】【課題】本考案は、今まで利用されていなかった蓋の裏面を利用し、その目的に合った文字・記号・数字等を印字提供する。【解決手段】本発明は、従来使用されていかった蓋の裏面の利用を特徴とする。【選択図】図１
2017088243.tif 000002
【特許請求の範囲】
【請求項１】
蓋の裏面に印字表現する文字・記号又は数字等すべてとする。
【発明の詳細な説明】
【技術分野】
【０００１】  本発明は、今まで利用されていない蓋の裏面の部分に印字加工し、未使用の空白部分を活用したものである。
【背景技術】
【０００２】  従来、蓋の表面は、ロゴやそれなりのデザインで装飾されているが、表側から見えない蓋の裏面は活用されていなかった。
【発明の概要】
【発明が解決しようとする課題】
【０００３】  従来、蓋の裏面を利用するという発想はなかった。本発明は、外から見えないことを逆手にとって蓋の裏面を有効利用するものである。
【課題を解決するための手段】
【０００４】  外から見えないことを利用し、蓋を開けたとき蓋の裏面に目的に合わせ、以上の構成により文字・記号又は数字等を印字しておく。
【発明の効果】
【０００５】  本発明は、今まで説明をしてきた、表面から見えないということを利用し、蓋を開けて初めてわかるような仕組みを利用し、例えばペットボトルには“大吉・中吉・小吉”等、を印字しておき、蓋を開けて初めて結果がわかり、その結果で、やる気を起こさせる効果を狙う。又、化粧品のように、広口蓋を開け使用するたびに“貴女はきれい”“貴女は若い”と男女を問わず蓋の裏面を見て自己満足する文句を印字しておく。
【発明を実施するための最良の形態】
【０００６】  表面からわからないようにしておく
【図面の簡単な説明】
【０００７】
【図１】  実施例の図面  １  蓋の裏面から見た平面図で、印字した状態である。
【図２】  蓋の裏面から見た断面図
【産業上の利用可能性】
【０００８】  一例としてもうせば、飲料水業界は似たような商品を開発販売をしている。ここに新たな発想により、占い付きの商品を販売すれば他の商品との差別化が図られる。
【図１】
2017088243.tif 000003
【図２】
2017088243.tif 000004